(57)【特許請求の範囲】
【請求項１】
円周角が１８０度よりも大きな円弧と一つの弦とからなる外形形状を有し且つ中空の上面と、円周角が１８０度よりも大きな円弧と一つの弦とからなる外形形状を有し且つ中空の下面と、前記上面と前記下面との間に配される外周側面とを備えるケーシング本体と、該ケーシング本体の外周側面に取り付けられ、前記ケーシング本体の内側で生じた切りくずを排出するためのエアー排出口と、を備え、前記ケーシング本体の外周側面は前記上面の円弧状の縁と前記下面の円弧状の縁とを接続するように配される湾曲した外周曲側面と、他の物体との接触を回避するためであって、前記外周曲側面に接続し且つ前記上面の弦と前記下面の弦とを接続するように配される非干渉側面と、を備えることを特徴とする切り屑排出機構付きケーシング。
【請求項２】
中空の円盤状上面と、円周角が１８０度よりも大きな円弧と一つの弦とからなる外形形状を有し且つ中空の下面と、前記円盤状上面と前記下面との間に配される外周側面と、を備えるケーシング本体と、該ケーシング本体の外周側面に取り付けられ、前記ケーシング本体の内側で生じた切りくずを排出するためのエアー排出口と、を備え、前記ケーシング本体の外周側面は前記下面の円弧状の縁に接続する外周曲側面と、他の物体との接触を回避するためであって、前記外周曲側面と接続し且つ前記下面の弦に接続する非干渉側面と、を備え、該非干渉側面は前記下面の弦と接続し且つ前記ケーシング本体の外方に向かって傾斜する傾斜部を備えることを特徴とする切り屑排出機構付きケーシング。
【請求項３】
中空の円盤状下面と、円周角が１８０度よりも大きな円弧と一つの弦とからなる外形形状を有し且つ中空の上面と、前記円盤状下面と前記上面との間に配される外周側面と、を備えるケーシング本体と、該ケーシング本体の外周側面に取り付けられ、前記ケーシング本体の内側で生じた切りくずを排出するためのエアー排出口と、を備え、前記ケーシング本体の外周側面は前記上面の円弧状の縁に接続する外周曲側面と、他の物体との接触を回避するためであって、前記外周曲側面と接続し且つ前記上面の弦に接続する非干渉側面と、を備え、該非干渉側面は前記上面の弦と接続し且つ前記ケーシング本体の外方に向かって傾斜する傾斜部を備えることを特徴とする切り屑排出機構付きケーシング。
【請求項４】
回転工具と、前記請求項１から３のいずれか１項に記載の切り屑排出機構付きケーシングと、を備え、前記回転工具が前記切り屑排出機構付きケーシングの内側に、切り屑排出空間が形成されるように配されることを特徴とする切り屑排出機構付工具。
【発明の詳細な説明】
【０００１】
【発明の属する技術分野】
本発明は、切り屑排出機構付きケーシング及び工具に関し、特にケーシング本体の形状を改善することにより、加工治具、ワーク及びケーシング本体同士の干渉があっても利用可能になるようにしたものである。
【０００２】
【従来の技術】
従来、この種の切り屑排出機構付きケーシング及び工具は、一般的に、ケーシング本体が正面フライス等の回転工具と同心円上に設けられたり、或いは切り屑排出口付近で渦巻き状の形状を有するようになっている。
【０００３】
【発明が解決しようとする課題】
しかしながら、前記切り屑排出機構付き工具では、円筒状を呈するケーシング本体は、必然的に、内周側に位置する正面フライスよりも大径になっている。したがって、ケーシング本体が加工治具或いはワークの突起に干渉したり、又は同時加工などでみられるように、一対のケーシング本体同士が互いに干渉したりする場合には、切り屑排出機構付き工具は、一般的には使用できないという問題点を有している。
【０００４】
本発明は、このようなことから、ケーシング本体の形状を改善して、加工治具などが干渉しない切り屑排出機構付きケーシング及び工具を提供しようとするものである。
【０００５】
【課題を解決するための手段】
本発明は、上述の点に鑑みなされたもので、略円筒状をなすケーシング本体の環状端には、フロントガイドが備えられ、またその外周側には、切り屑排出口が備えられるようにした切り屑排出機構付きケーシングを前提にして加工治具等の干渉が避けられるようにしたものである。
【０００６】
すなわち、前記ケーシング本体の外周側面の一部には、加工治具等に対する非干渉側面が形成されるようにした切り屑排出機構付きケーシングを提供するものである。
【０００７】
また、切り屑排出機構付きケーシングの内周部分には、正面フライス等の回転工具が配置されることにより、この回転工具及びケーシング本体間には、切り屑排出空間が構成される切り屑排出機構付き工具を提供するものである。
【０００８】
【発明の実施の形態】
以下、本発明切り屑排出機構付きケーシングの一実施例について、図を参照しながら説明する。
【０００９】
図１は、本発明の切り屑排出機構付きケーシングを概念的に示した説明図であり、ケーシング本体１の環状端側には、フロントガイド２が備えられ、外周部分には、取付け具３を介して配設されるエアー供給ホース４、エアー排出口５などが備えられている。また、ケーシング本体１及びフロントガイド２は、開閉式にしているため、ヒンジ部分６及びファスナー部分７が備えられている。
【００１０】
ところで、この切り屑排出機構付きケーシング１は、図１及び図２で示されているように、外周側面の一部には、加工治具などの干渉を避けるための非干渉側面８が形成されている。この場合、非干渉側面８は、環状端に対して垂直な側面を形成しているもので、切り屑排出機構付きケーシング１の構成では、非干渉側面８の形成によってケーシング本体１の一部の内部スペースが狭くなり、回転に伴う気流の流れが悪くなるが、加工治具等の干渉を避けることができるため実用可能になる。
【００１１】
図３は、本発明切り屑排出機構付き工具の一実施例を示した概念的な説明図であり、前述したケーシング本体１は、加工機の主軸10の外側部分に取付けねじ11a, 11b, 11c、取付け板12a,12bなどを利用して非回転状態で取付けられ、しかもこの回転工具９及びケーシング本体１間には、切り屑排出空間13が構成されるようになっている。この結果、図３で示される切り屑排出機構付き工具は、切り屑排出空間13の右側の内部スペースが狭くなっている。
【００１２】
なお、前記回転工具９に備えられる切れ刃チップ14については、楔による固定手段、穴付きチップを利用した止めねじによる固定手段など適宜の手段が採用できる。また、切れ刃チップ14による切削で発生した切り屑に対して、これをを誘導する切り屑案内部材（図示せず）については、例えば特開平７−164275公報にみられるような個別部材による場合、特開平１−109014号公報にみられるような外周端に鈎形に延びるリング状部材による場合などを適宜採用できる。
【００１３】
図４は、本発明切り屑排出機構付き工具の他の実施例を示した概念的な説明図であり、ワーク15の突起15aが干渉する場合に適用される。
【００１４】
すなわち、ケーシング本体１は、図５及び図６(a)(b)で示されているが、その外周部分の一部には、想像線で示されるワーク15の突起15aによる干渉を避けるため、傾斜面からなる非干渉側面８が形成されている。この場合、ケーシング本体１の部品は、図１と同様であり、フロントガイド２、エアー供給ホース４、エアー排出口５などが備えられている。
【００１５】
図７は、切り屑排出機構付き工具の別の実施例を示したものであり、前記非干渉側面８は、図７及び図９で明示されているように、ケーシング本体１の環状端側とは反対側に傾斜面として形成されている。この場合、図８の前記非干渉側面８は、形成される位置の関係から点線図示が省略されている。またケーシング本体１に備えられる部品は、前述したものと同様、フロントガイド２、ホース４、エアー排出口５などを備えている。
【００１６】
図10は、切り屑排出機構付き工具におけるさらに他の実施例を示したものであり、ワーク15を同時に切削する場合に適用したものである。
【００１７】
すなわち、この実施例の切り屑排出機構付き工具は、非干渉側面８が、互いに対面するようにしたものであり、図のような接近状態では、衝突がないよう隙間量ｔが構成されている。
【００１８】
なお、これまでの実施例では、エアー供給ホース４を備えたエアー噴射式の切り屑排出機構付きケーシング及び工具が説明されているが、エアー供給ホース４を備えないエアレス方式、或いはケーシング本体１のエアー排出口５に対し、図示しないダクトホース及び集塵機をそれぞれ連結するようにした集塵機吸引方式に変更することも可能である。
【００１９】
【発明の効果】
本発明は、以上説明したように、ケーシング本体１の外周部分には、非干渉側面8を構成したものであるから、加工治具、ワーク15の突起15aなどが干渉する場合であっても適用可能であり、有効な切り屑の回収ができるという利点を有する。
【図面の簡単な説明】
【図１】本発明切り屑排出機構付きケーシングにおける一実施例を示す概念的な平面図である。
【図２】図１の一部右側面図である。
【図３】本発明切り屑排出機構付き工具における一実施例を概念的に示す断面的な正面図である。
【図４】本発明切り屑排出機構付き工具における他の実施例を概念的に示す断面的な正面図である。
【図５】図４で適用された本発明切り屑排出機構付きケーシングを概念的に示す底面図である。
【図６】図５に対する説明図で、(a)は左斜め方向からの一部側面図、(b)は一部右側面図である。
【図７】本発明切り屑排出機構付き工具における別の実施例を概念的に示す断面的な正面図である。
【図８】図７で適用された本発明切り屑排出機構付きケーシングを概念的に示す断面的な底面図である。
【図９】図８に対する一部右側面図である。
【図10】本発明切り屑排出機構付き工具におけるさらに他の実施例を概念的に示す断面的な正面図である。
【符号の説明】
１ ケーシング本体
２ フロントガイド
３ 取付け具
４ エアー供給ホース
５ エアー排出口
６ ヒンジ部分
７ ファスナー部分
８ 非干渉側面
９ 回転工具
10 主軸
11a, 11b, 11c 取付けねじ
12a,12b 取付け板
13 切り屑排出空間
14 切れ刃チップ
15 ワーク
15a 突起
【図１】
0004821053.tif 000002
【図２】
0004821053.tif 000003
【図３】
0004821053.tif 000004
【図４】
0004821053.tif 000005
【図５】
0004821053.tif 000006
【図６】
0004821053.tif 000007
【図７】
0004821053.tif 000008
【図８】
0004821053.tif 000009
【図９】
0004821053.tif 000010
【図１０】
0004821053.tif 000011